(57)【要約】【課題】アナログテレビ放送からデジタルテレビ放送への切換え過程において、アナログ放送とデジタル放送が混在する時期がある。このとき、アナログ局の廃止、デジタル局の新規開局などチャネルマップの変更が頻繁に行なわれる。テレビの視聴者は、チャネルマップの変更がある度にチャネルサーチを行い、チャネルマップデータの変更を行なう必要がある。しかし、デジタルチャネルのサーチは、アナログチャネルに比べて長時間を必要とする。【構成】アナログサーチの結果を参照して、アナログ放送に存在するチャネルを除いて、デジタルチャネルのサーチを行なうようにする。デジタルサーチを行なうチャネル数が少なくなるため、そのサーチすべきチャネルの減少分のデジタルサーチ時間が短縮される。【選択図】　　　　　　　　図３
2004088162.tif 000002
【特許請求の範囲】
【請求項１】
テレビ放送信号を受信する放送受信部と、各放送チャネルと放送種別を関連付けたチャネルマップデータを記憶するメモリを有し、該放送受信部が、デジタル受信部とアナログ受信部を含んでいて、該チャネルマップデータは、該放送受信部を用いて各チャネルをサーチすることで作成及び／又は更新することができ、
アナログ受信部は、全ての放送チャネルをサーチして、各チャネル毎にアナログ放送の有無を判断するためのアナログ判断部を有し、該アナログチャネルサーチの結果としてアナログ放送が存在すると判断されたチャネルに関して、上記チャネルマップデータ上にアナログ放送に関する情報を記憶し、
デジタル受信部は、上記のアナログチャンネルサーチにおいてアナログ放送が存在すると判断されたチャネルを除く全ての放送チャネルをサーチして、各チャネル毎にデジタル放送の有無を判断するためのデジタル判断部を有し、該デジタルチャネルサーチの結果としてデジタル放送が存在すると判断されたチャネルに関して、上記チャネルマップデータ上にデジタル放送に関する情報を記憶する事を特徴とする放送受信装置。
【請求項２】
上記アナログチャネルサーチ及びデジタルチャネルサーチの結果は、各チャネル毎に順次判断結果が得られ、一つのチャネルの判断結果が得られる度に、上記チャネルマップデータにチャネル情報を記憶する事を特徴とする請求項１に記載の放送受信装置。
【請求項３】
上記デジタルチャネルサーチにおいて、サーチを開始するチャネルに関するチャネルマップデータを参照し、該チャネルがアナログ放送であることが記憶されている場合、該チャネルのサーチを省略し、他のチャネルのサーチを行なう事を特徴とする請求項２に記載の放送受信装置。
【請求項４】
上記アナログチャネルサーチ及び上記デジタルチャネルサーチを同時に開始する場合、同順序でチャネルをサーチし、最初にサーチするチャネルにおいては、上記チャネルマップデータを参照しない事を特徴とする請求項１乃至３に記載の放送受信装置。
【請求項５】
上記チャネルサーチを受信可能な最低周波のチャネルから昇順に行なう事を特徴とする請求項１乃至４に記載の放送受信装置。
【請求項６】
上記チャネルサーチを受信可能な最高周波のチャネルから降順に行なう事を特徴とする請求項１乃至４に記載の放送受信装置。
【請求項７】
上記アナログ受信部が、受信チャネルを選定するアナログチューナと選定されたチャネルの信号を復調するアナログ復調器を含み、アナログ判断部が、復調されたビデオ信号の水平同期信号に対するＰＬＬ同期回路がロックするか否かによって、アナログ放送の有無を判定する事を特徴とする請求項１乃至６に記載の放送受信装置。
【請求項８】
上記デジタル受信部が、受信チャネルを選定するデジタルチューナと選定されたチャネルの信号を復調するデジタル復調器及びＴＳデータ信号を分離処理するＴＳデコーダを含み、デジタル判断部が、デジタル復調器が受信信号の同期を確立できるか否かによってデジタル放送の有無を判定する事を特徴とする請求項１乃至７に記載の放送受信装置。
【請求項９】
上記デジタル受信部が、受信チャネルを選定するデジタルチューナと選定されたチャネルの信号を復調するデジタル復調器及びＴＳデータ信号を分離処理するＴＳデコーダを含み、デジタル判断部が、ＴＳデコーダによりデコード処理された受信データから該サーチ中の放送局を認識できるか否かによってデジタル放送の有無を判定する事を特徴とする請求項１乃至８に記載の放送受信装置。
【請求項１０】
上記アナログ受信部及びデジタル受信部のうちの一方を使用して放送を視聴又は記録している場合、同時にもう一方の受信部を動作させて上記チャネルサーチを行い、上記チャネルマップデータを更新する事を特徴とする請求項１乃至９に記載の放送受信装置。
【請求項１１】
テレビ放送信号を受信する放送受信手段と、各放送チャネルと放送種別を関連付けたチャネルマップデータを記憶する記憶手段を有し、該放送受信手段が、デジタル受信手段とアナログ受信手段を含んでいて、該チャネルマップデータは、該放送受信手段を用いて各チャネルをサーチすることで作成及び／又は更新することができ、
アナログ受信手段は、全ての放送チャネルをサーチして、各チャネル毎にアナログ放送の有無を判断するためのアナログ判断手段を有し、該アナログチャネルサーチの結果としてアナログ放送が存在すると判断されたチャネルに関して、上記チャネルマップデータ上にアナログ放送に関する情報を記憶し、
デジタル受信手段は、上記のアナログチャンネルサーチにおいてアナログ放送が存在すると判断されたチャネルを除く全ての放送チャネルをサーチして、各チャネル毎にデジタル放送の有無を判断するためのデジタル判断手段を有し、該デジタルチャネルサーチの結果としてデジタル放送が存在すると判断されたチャネルに関して、上記チャネルマップデータ上にデジタル放送に関する情報を記憶する事を特徴とする放送受信方法。
【請求項１２】
上記アナログチャネルサーチ及びデジタルチャネルサーチの結果は、各チャネル毎に順次判断結果が得られ、一つのチャネルの判断結果が得られる度に、上記チャネルマップデータにチャネル情報を記憶する事を特徴とする請求項１１に記載の放送受信方法。
【請求項１３】
上記デジタルチャネルサーチにおいて、サーチを開始するチャネルに関するチャネルマップデータを参照し、該チャネルがアナログ放送であることが記憶されている場合、該チャネルのサーチを省略し、他のチャネルのサーチを行なう事を特徴とする請求項１２に記載の放送受信方法。
【請求項１４】
上記アナログチャネルサーチ及び上記デジタルチャネルサーチを同時に開始する場合、同順序でチャネルをサーチし、最初にサーチするチャネルにおいては、上記チャネルマップデータを参照しない事を特徴とする請求項１１乃至１３に記載の放送受信方法。
【請求項１５】
上記チャネルサーチを受信可能な最低周波のチャネルから昇順に行なう事を特徴とする請求項１１乃至１４に記載の放送受信方法。
【請求項１６】
上記チャネルサーチを受信可能な最高周波のチャネルから降順に行なう事を特徴とする請求項１１乃至１５に記載の放送受信方法。
【請求項１７】
上記アナログ受信手段が、受信チャネルを選定するアナログチューナ手段と選定されたチャネルの信号を復調するアナログ復調手段を含み、アナログ判断手段が、復調されたビデオ信号の水平同期信号に対するＰＬＬ同期手段がロックするか否かによって、アナログ放送の有無を判定する事を特徴とする請求項１１乃至１６に記載の放送受信方法。
【請求項１８】
上記デジタル受信手段が、受信チャネルを選定するデジタルチューナ手段と選定されたチャネルの信号を復調するデジタル復調手段及びＴＳデータ信号を分離処理するＴＳデコード手段を含み、デジタル判断手段が、デジタル復調手段が受信信号の同期を確立できるか否かによってデジタル放送の有無を判定する事を特徴とする請求項１１乃至１７に記載の放送受信方法。
【請求項１９】
上記デジタル受信手段が、受信チャネルを選定するデジタルチューナ手段と選定されたチャネルの信号を復調するデジタル復調手段及びＴＳデータ信号を分離処理するＴＳデコード手段を含み、デジタル判断手段が、ＴＳデコード手段によりデコード処理された受信データから該サーチ中の放送局を認識できるか否かによってデジタル放送の有無を判定する事を特徴とする請求項１１乃至１８に記載の放送受信方法。
【請求項２０】
上記アナログ受信手段及びデジタル受信手段のうちの一方を使用して放送を視聴又は記録している場合、同時にもう一方の受信手段を動作させて上記チャネルサーチを行い、上記チャネルマップデータを更新する事を特徴とする請求項１１乃至１９に記載の放送受信方法。
【発明の詳細な説明】
【０００１】
【産業上の利用分野】
本発明は、現行アナログテレビジョン放送信号、次世代デジタルテレビジョン放送信号を受信する地上波放送受信装置と、そのチャンネル設定技術に関するものである。
【０００２】
【従来の技術】
近年、地上波デジタルテレビジョンの開発が行われ、現行のアナログ放送からデジタル放送への移行がなされようとしている。その過渡期においてはアナログとデジタルの放送が混在する時期があり、テレビジョン受信装置はアナログとデジタルの両放送を受信できることが求められる。このため、デジタル放送受信用チューナと、アナログ放送受信用チューナの両方を備え、それぞれの放送方式に応じたチューナで放送を受信することになる。
【０００３】
また、アナログ放送からデジタル放送への移行過渡期においては、アナログ局の廃止、デジタル局の新規開局など、チャンネルマップの変更が頻繁に行われることが予想され、効率的なチャネルサーチを行えることが受信機に求められている。
【０００４】
一方、アナログ放送受信もデジタル放送受信も、受信に際してどのチャネル（周波数）で放送が行われているかをあらかじめ知っておくことでスムーズなチャネル選局を行なうことができる。放送されているチャネルは地域ごとに異なるため、受信機を設置する際には、全周波数チャネルにわたって、どのチャンネルで放送が行われているかをサーチし、そのチャネルマップを記憶しておくのが通常の方法である。
【０００５】
従って、アナログ放送用、デジタル放送用のそれぞれのチューナに対して全チャネルにわたって、順に選局指示を出し、チューナから正規の受信信号が得られたかどうかでそのチャネルにおいて放送がなされているかどうかを判定し、記憶する。
【０００６】
以下、図２により、デジタル・アナログ両対応受信機のチャネルサーチ動作について一例を説明する。
【０００７】
図２には、デジタル放送、アナログ放送の両方に対応する放送受信機のシステム構成を示している。
【０００８】
ここで、このシステムは、本体操作キー（３０２）もしくはリモコン（４０１）の操作キーを操作することで操作される。制御用マイコン（３００）は、リモコン（４０１）から無線送信された操作信号を受信するリモコン信号受信機（３０１）あるいは本体操作キー（３０２）を通じて操作信号による指示を受信する。そこで、使用者からチャネルサーチの指示を受けることで、チャネルサーチ動作を開始する。
【０００９】
まず、制御用マイコン（３００）は、デジタルチューナ（１０１）に、放送が実施され得る最も低い周波数のチャンネルの選局指示を出し、地上波放送用アンテナ（１００）からの信号から選択する。選択された信号はデジタル復調器（１０２）に入力され、変調方式に応じた復調処理が行われる。一般には、デジタルＴＶ放送信号は、例えばＯＦＤＭ変調されおり、デジタル復調器（１０２）でＯＦＤＭ復調される。
【００１０】
そこで、正規の信号が放送されていれば、あらかじめ施されたエラー訂正のための処理が行われ後ＭＰＥＧトランスポートストリームとして出力される。復調されたＭＰＥＧトランスポートストリームはＴＳデコーダ（１０３）にてデコード処理され、ビデオ、オーディオなどのエレメンタリストリームとして出力され、ビデオ・オーディオデコーダ（１０４）にて、ビデオ、オーディオそれぞれの信号が復元される。
【００１１】
ここで、正規の信号が放送されているかどうかの判断は、制御マイコン（３００）がデジタル復調器（１０２）の状態を読むことで正規のデジタル信号が受信されているかどうかを判定できる。具体的には、受信されたデジタル信号の同期が確保できれば正規の信号が放送されていると判断する方法があるが、これに限定されるものではない。
【００１２】
また、ＴＳデコーダ（１０３）のデータを読むことでその放送局から送られている局名などの情報も得ることができる。このように、放送局名を特定できるか否かで放送の有無を確認することもできる。放送の有無が確認できたら、制御用マイコン（３００）は、チャネル周波数や放送局、チャネル番号などの選局のための情報をメモリ（３０３）に保存する。
【００１３】
次に制御用マイコン（３００）は、例えば現在のチャネルと隣接するより高周波の次のチャンネルの選局指示を出す。この動作を全チャンネルにわたって繰り返し、どのチャンネルで放送が実施されているかの情報をメモリ（３０３）に蓄積保存する。
【００１４】
また、アナログ放送のサーチも同様に行う。制御用マイコン（３００）からアナログチューナ（２０１）に放送が実施される最も低周波のチャンネルに選局指示を出し、地上波放送用アンテナ（１００）からの信号を選択する。選択された信号はアナログ復調器（２０２）に入力され、復調処理が行われる。復調された信号は、コンポジットビデオ信号、音声信号として出力される。
【００１５】
復調されたアナログコンポジットビデオ信号は検出器（２０３）に入力され正規のビデオ信号が復調されているかの判定信号を出力する。具体的には、ビデオ信号の水平同期信号に対するＰＬＬ同期回路がロックするか否かによって判定するように構成することで、放送有無を確かめることができるが、これに限定されるものではない。
【００１６】
このように、放送の有無が確認できたら制御用マイコン（３００）は、チャンネル周波数やチャンネル番号などの選局のための情報をメモリ（３０３）に保存し、隣接するより高周波のチャンネルを次のチャンネルとして選局指示を出す。この動作をデジタル放送と同様に全チャンネルにわたって繰り返し、どのチャンネルで放送が実施されているかの情報をメモリ（３０３）に蓄積保存し、サーチ動作を終了する。
【００１７】
通常使用においては、使用者の選局指示をリモコン信号受信機（３０１）あるいは本体キー（３０２）を通して受け、使用者の希望するチャネルを、記憶したメモリ（３０３）内のデータを参照して、デジタルチューナ（１０１）あるいはアナログチューナ（２０１）に選局指示を出して視聴することが可能となる。
【００１８】
【発明が解決しようとする課題】
デジタル放送のチューニングにおいては、上記の如く、正規の信号が受信できているかデジタルデータの内容を確認する必要がある。そのため、一般にそのチャネルにおいて放送がなされているかどうかの判定に時間がかかる。
【００１９】
また、日本の地上波デジタル放送においては放送のモードが複数あるため、その組み合わせをすべて試す必要があるため、さらに判定に時間がかかる。よってアナログ放送よりも全チャンネルにわたってチャネルマップを取得するのに時間がかかる。デジタル放送への過渡期において頻繁にチャネルマップを取得しなければならない場合には、視聴者に不便を強いることになる。
【００２０】
本発明は、上記の課題を解決し、チャネルマップの取得を効率よく行うことができる受信機を提供するものである。
【００２１】
【課題を解決するための手段】
本願発明は、上記問題に鑑みなされたものであり、テレビ放送信号を受信する放送受信部と、各放送チャネルと放送種別を関連付けたチャネルマップデータを記憶するメモリを有し、該放送受信部が、デジタル受信部とアナログ受信部を含んでいて、該チャネルマップデータは、該放送受信部を用いて各チャネルをサーチすることで作成及び／又は更新することができ、アナログ受信部は、全ての放送チャネルをサーチして、各チャネル毎にアナログ放送の有無を判断するためのアナログ判断部を有し、該アナログチャネルサーチの結果としてアナログ放送が存在すると判断されたチャネルに関して、上記チャネルマップデータ上にアナログ放送に関する情報を記憶し、デジタル受信部は、上記のアナログチャンネルサーチにおいてアナログ放送が存在すると判断されたチャネルを除く全ての放送チャネルをサーチして、各チャネル毎にデジタル放送の有無を判断するためのデジタル判断部を有し、該デジタルチャネルサーチの結果としてデジタル放送が存在すると判断されたチャネルに関して、上記チャネルマップデータ上にデジタル放送に関する情報を記憶する事を特徴とする放送受信装置である。
【００２２】
ここでは、上記アナログチャネルサーチ及びデジタルチャネルサーチの結果は、各チャネル毎に順次判断結果が得られ、一つのチャネルの判断結果が得られる度に、上記チャネルマップデータにチャネル情報を記憶するように構成することができる。
【００２３】
また、上記デジタルチャネルサーチにおいて、サーチを開始するチャネルに関するチャネルマップデータを参照し、該チャネルがアナログ放送であることが記憶されている場合、該チャネルのサーチを省略し、他のチャネルのサーチを行なうように構成する上記放送受信装置でもある。
【００２４】
さらに、上記アナログチャネルサーチ及び上記デジタルチャネルサーチを同時に開始する場合、同順序でチャネルをサーチし、最初にサーチするチャネルにおいては、上記チャネルマップデータを参照しないように構成することもできる。
【００２５】
また、上記チャネルサーチを受信可能な最低周波のチャネルから昇順に行なうように構成することもできる。
【００２６】
又は、上記チャネルサーチを受信可能な最高周波のチャネルから降順に行なうように構成しても構わない。
【００２７】
また、上記アナログ受信部が、受信チャネルを選定するアナログチューナと選定されたチャネルの信号を復調するアナログ復調器を含み、アナログ判断部が、復調されたビデオ信号の水平同期信号に対するＰＬＬ同期回路がロックするか否かによって、アナログ放送の有無を判定するように構成された上記放送受信装置でもある。
【００２８】
さらに、上記デジタル受信部が、受信チャネルを選定するデジタルチューナと選定されたチャネルの信号を復調するデジタル復調器及びＴＳデータ信号を分離処理するＴＳデコーダを含み、デジタル判断部が、デジタル復調器が受信信号の同期を確立できるか否かによってデジタル放送の有無を判定する上記放送受信装置でもある。
【００２９】
また、上記デジタル受信部が、受信チャネルを選定するデジタルチューナと選定されたチャネルの信号を復調するデジタル復調器及びＴＳデータ信号を分離処理するＴＳデコーダを含み、デジタル判断部が、ＴＳデコーダによりデコード処理された受信データから該サーチ中の放送局を認識できるか否かによってデジタル放送の有無を判定する上記放送受信装置でもある。
【００３０】
ここで、上記アナログ受信部及びデジタル受信部のうちの一方を使用して放送を視聴又は記録している場合、同時にもう一方の受信部を動作させて上記チャネルサーチを行い、上記チャネルマップデータを更新するように構成しても構わない。
【００３１】
上記と同様に、本発明は、テレビ放送信号を受信する放送受信手段と、各放送チャネルと放送種別を関連付けたチャネルマップデータを記憶する記憶手段を有し、該放送受信手段が、デジタル受信手段とアナログ受信手段を含んでいて、該チャネルマップデータは、該放送受信手段を用いて各チャネルをサーチすることで作成及び／又は更新することができ、アナログ受信手段は、全ての放送チャネルをサーチして、各チャネル毎にアナログ放送の有無を判断するためのアナログ判断手段を有し、該アナログチャネルサーチの結果としてアナログ放送が存在すると判断されたチャネルに関して、上記チャネルマップデータ上にアナログ放送に関する情報を記憶し、デジタル受信手段は、上記のアナログチャンネルサーチにおいてアナログ放送が存在すると判断されたチャネルを除く全ての放送チャネルをサーチして、各チャネル毎にデジタル放送の有無を判断するためのデジタル判断手段を有し、該デジタルチャネルサーチの結果としてデジタル放送が存在すると判断されたチャネルに関して、上記チャネルマップデータ上にデジタル放送に関する情報を記憶する事を特徴とする放送受信方法でもある。
【００３２】
ここで、上記アナログチャネルサーチ及びデジタルチャネルサーチの結果は、各チャネル毎に順次判断結果が得られ、一つのチャネルの判断結果が得られる度に、上記チャネルマップデータにチャネル情報を記憶するように構成することができる。
【００３３】
また、上記デジタルチャネルサーチにおいて、サーチを開始するチャネルに関するチャネルマップデータを参照し、該チャネルがアナログ放送であることが記憶されている場合、該チャネルのサーチを省略し、他のチャネルのサーチを行なう上記放送受信方法でもある。
【００３４】
さらに、上記アナログチャネルサーチ及び上記デジタルチャネルサーチを同時に開始する場合、同順序でチャネルをサーチし、最初にサーチするチャネルにおいては、上記チャネルマップデータを参照しないように構成しても構わない。
【００３５】
ここで、上記チャネルサーチを受信可能な最低周波のチャネルから昇順に行なうように構成することもできる。
【００３６】
又は、上記チャネルサーチを受信可能な最高周波のチャネルから降順に行なうように構成することもできる。
【００３７】
さらに、上記アナログ受信手段が、受信チャネルを選定するアナログチューナ手段と選定されたチャネルの信号を復調するアナログ復調手段を含み、アナログ判断手段が、復調されたビデオ信号の水平同期信号に対するＰＬＬ同期手段がロックするか否かによって、アナログ放送の有無を判定するように構成することもできる。
【００３８】
また、上記デジタル受信手段が、受信チャネルを選定するデジタルチューナ手段と選定されたチャネルの信号を復調するデジタル復調手段及びＴＳデータ信号を分離処理するＴＳデコード手段を含み、デジタル判断手段が、デジタル復調手段が受信信号の同期を確立できるか否かによってデジタル放送の有無を判定するように構成することもできる。
【００３９】
また、上記デジタル受信手段が、受信チャネルを選定するデジタルチューナ手段と選定されたチャネルの信号を復調するデジタル復調手段及びＴＳデータ信号を分離処理するＴＳデコード手段を含み、デジタル判断手段が、ＴＳデコード手段によりデコード処理された受信データから該サーチ中の放送局を認識できるか否かによってデジタル放送の有無を判定するように構成することもできる。
【００４０】
さらに、上記アナログ受信手段及びデジタル受信手段のうちの一方を使用して放送を視聴又は記録している場合、同時にもう一方の受信手段を動作させて上記チャネルサーチを行い、上記チャネルマップデータを更新するように構成しても構わない。
【００４１】
【発明の実施の形態】
以下、本発明の一実施例を、図面に沿って具体的に説明する。
【００４２】
本発明のハードウェア構成は、図２に示す従来技術と同様であり、上で説明したため、ここでは説明を省略する。
【００４３】
次に、図２におけるハードウェアを使ってチャネルサーチを行なうためのフローチャートを図１を使って説明する。このフローチャートは、制御用マイコン（３００）によって処理される。
【００４４】
図１（Ａ）にアナログチャネルのチャネルサーチのフローチャートを示す。チャネルサーチが開始されると（ｓ１０１）、制御用マイコン（３００）は、アナログチューナ（２０１）に受信可能な最低周波数のチャネルの選定指示を与える（ｓ１０２）。
【００４５】
アナログチューナ（２０１）は、指定されたチャネルに設定されて放送信号を受信する（Ｓ１０３）。受信された放送信号は、アナログ復調器（２０２）にて復調される。この時、復調された信号より、同期信号が検出できるかどうかにより、放送の有無を判定する（ｓ１０４）。
【００４６】
放送が有る場合（同期信号が検出できた場合）、現在のチャネルがアナログ放送であることを、メモリ（３０３）内のチャネルマップに記憶する（ｓ１０５）。
【００４７】
次に、現チャネルは受信可能な最高周波数のチャネルではないので（ｓ１０６）、制御用マイコン（３００）は、アナログチューナ（２０１）に、現チャンネルに隣接する高周波のチャネルの選定指示を与える（ｓ１０９）。
【００４８】
上記と同様、新しく選定されたチャネルをサーチし（ｓ１０３）、放送の有無を確認する（ｓ１０４）。放送が無い場合（検出器で同期信号が検出されない場合）、メモリ（３０３）内のチャネルマップにおいて現設定チャネルがデジタルと記憶されているか否かを判断する（ｓ１０７）。デジタルと記憶されている場合は、チャネルマップのデータを書き替えずに、制御用マイコン（３００）は、アナログチューナ（２０１）に、現チャンネルに隣接する高周波のチャネルの選定指示を与える（ｓ１０９）。デジタルと記憶されていない場合は、チャネルマップの現設定チャネルのデータをリセットし（ｓ１０８）、制御用マイコン（３００）は、アナログチューナ（２０１）に、現チャンネルに隣接する高周波のチャネルの選定指示を与える（ｓ１０９）。
【００４９】
上記の如く、順に全ての受信可能なチャネルをサーチし、受信可能な最高周波数のチャネルに達すると（ｓ１０６）、このアナログチャネルサーチを終了する（ｓ１１０）。
【００５０】
また、図１（Ｂ）にデジタルチャネルのチャネルサーチのフローチャートを示す。チャネルサーチが開始されると（ｓ２０１）、制御用マイコン（３００）は、デジタルチューナ（１０１）に受信可能な最低周波数のチャネルの選定指示を与える（ｓ２０２）。
【００５１】
デジタルチューナ（１０１）は、指定されたチャネルに設定されて放送信号を受信する（Ｓ２０３）。受信された放送信号は、デジタル復調器（１０２）にて復調され、ＴＳデコーダ（１０３）によりデータ分離処理される。この時、復調器のステータスより、同期が確保できるかどうか及びＴＳデコーダ出力データから放送局を認識できるかどうかによって、放送の有無を判定する（ｓ２０４）。
【００５２】
放送が有る場合（同期信号が確認でき、放送局が認識できる場合）、現在のチャネルがデジタル放送であり、どの放送局の放送がなされていて、どのような変調方式を使用しているのかなどのチャネル情報を、メモリ（３０３）内のチャネルマップに記憶する（ｓ２０５）。
【００５３】
次に、現チャネルは受信可能な最高周波数のチャネルではないので（ｓ２０６）、制御用マイコン（３００）は、デジタルチューナ（１０１）に、現チャンネルに隣接する高周波のチャネルの選定指示を与える（ｓ２０９）。
【００５４】
ここで、新たに設定指示されたチャネルが、メモリ（３０３）内のチャネルマップ上で、アナログチャネルとして記憶されているかどうかを確認する（ｓ２１０）。
【００５５】
アナログチャネルとして記憶されている場合は、既にこのチャネルがアナログ放送のチャネルとして認識されたことがわかるので、このチャネルはサーチせずに、制御用マイコン（３００）は、さらに、デジタルチューナ（１０１）に、現チャンネルに隣接する高周波のチャネルの選定指示を与える（ｓ２０９）。
【００５６】
一方、アナログチャネルとして記憶されていない場合は、このチャネルを上記と同様にサーチし（ｓ２０３）、放送の有無を確認する（ｓ２０４）。放送が無い場合（検出器で同期信号が検出されないか、放送局が認識できない場合）、メモリ（３０３）内のチャネルマップにおいて現設定チャネルがアナログと記憶されているか否かを判断する（ｓ２０７）。アナログと記憶されている場合は、チャネルマップのデータを書き替えずに、制御用マイコン（３００）は、デジタルチューナ（１０１）に、現チャンネルに隣接する高周波のチャネルの選定指示を与える（ｓ２０９）。アナログと記憶されていない場合は、チャネルマップの現設定チャネルのデータをリセットし（ｓ２０８）、制御用マイコン（３００）は、デジタルチューナ（１０１）に、現チャンネルに隣接する高周波のチャネルの選定指示を与える（ｓ２０９）。
【００５７】
上記の如く、順に全ての受信可能なチャネルをサーチし、受信可能な最高周波数のチャネルに達すると（ｓ２０６）、このデジタルチャネルサーチを終了する（ｓ２１０）。
【００５８】
さらに、具体的な実施形態について図３を用いて説明する。簡単のため、１チャンネルから１２チャンネルまでの間でサーチを行う例で説明する。ここでは、アナログとデジタルの放送が混在し、アナログは１、３、４、６、８、１０の各チャンネルで、デジタルは２、５、７、１２の各チャンネルで放送されているものとする。以下に、チャネルマップをリセットし最初からチャネルマップデータを作成するための初期チャネルサーチについて説明する。尚、ユーザがチャネルサーチを指定した場合は、この初期チャネルサーチを行なう。
【００５９】
図３の横軸は時間であり、各チャンネルの有局・無局の判定がどのように進んでいるかを示している。ここではアナログ放送の有無の判定に要する時間を１チャンネルあたり１単位時間（例えば１秒）とし、デジタル放送の有無の判定は１チャンネルあり２単位時間必要とするものとする。
【００６０】
図３（１）（Ａ）は従来の手法でデジタル放送のサーチを行った場合を示している。また、四角内の数字はサーチしているチャンネル番号を示している。下線のついた番号はそのチャンネルで当該放送が行われていることを示している。デジタルサーチの方が判定に長い時間を要するため、１から１２チャンネルまでサーチを行うのに、時刻０から開始し、終了するのが時刻２４で、２４単位時間を要している。
【００６１】
一方、図３（１）（Ｂ）は本発明によるサーチ手法を説明したものである。アナログチューナ（２０１）によるアナログ放送のサーチ、デジタルチューナ（１０１）によるデジタル放送のサーチを示している。図３（１）（Ａ）と同じく、四角内の数字はサーチしているチャンネル番号を示している。
【００６２】
図３（２）は、各時刻におけるチャンネルマップ取得の進行状況を示したもので、「Ａ」はアナログ放送、「Ｄ」はデジタル放送が行われていることを示す。空欄はサーチが未完であること「−」はアナログ、デジタルとも放送が行われていないことを示している。
【００６３】
次に、図３を使って、チャネルサーチの手順を説明する。
【００６４】
まず、アナログ放送とデジタル放送のサーチを時間０で同時に１チャンネルから順に開始する。時刻１でアナログサーチの判定により１チャンネルでアナログ放送が行われていることがわかり、チャンネルマップの１チャンネルの欄にアナログ放送の意味として「Ａ」が記録される。アナログチューナ（２０１）は次の２チャンネルの判定に移る。デジタルチューナは１チャンネルの判定を継続中である。
【００６５】
時刻２でアナログサーチの判定により２チャンネルではアナログ放送は行われていないことがわかる。しかしデジタル放送の判定はまだ出ていないのでマップは空欄のままとする。アナログサーチは次の３チャンネルの判定に移る。デジタルサーチの１チャンネルの判定が終了し、デジタル放送でないことがわかる。１チャンネルのマップにはすでに「Ａ」が書かれているためマップはそのままとする。
【００６６】
次の２チャンネルのデジタル放送の判定に移る際に、マップの２チャンネルの欄を確認する。空欄であるので２チャンネルのデジタル放送の判定を開始する。
【００６７】
時刻３でアナログサーチの判定により、３チャンネルでアナログ放送が行われていることがわかり、チャンネルマップの３チャンネルの欄に「Ａ」が記録される。アナログサーチは次の４チャンネルの判定に移る。デジタルサーチは２チャンネルの判定を継続中である。
【００６８】
時刻４でアナログサーチの判定により４チャンネルでアナログ放送が行われていることがわかり、チャンネルマップの４チャンネルの欄に「Ａ」が記録される。アナログサーチは次の５チャンネルの判定に移る。デジタルサーチの２チャンネルの判定が終了し、デジタル放送であることがわかる。チャンネルマップの２チャンネルの欄にデジタル放送の意味として「Ｄ」が記録されると同時に放送局名などのチャネル情報も記憶される。
【００６９】
次のデジタルサーチの判定に移る際に、マップの次欄を確認する。３チャンネル、４チャンネルにはすでに「Ａ」が記録されているので、判定は試みずに次の空欄の５チャンネルの判定を開始する。
【００７０】
時刻５でアナログチューナの判定により５チャンネルではアナログ放送は行われていないことがわかる。しかしデジタル放送の判定はまだ出ていないのでマップは空欄のままとする。アナログサーチは次の６チャンネルの判定に移る。デジタルサーチは５チャンネルの判定を継続中である。
【００７１】
時刻６でアナログサーチの判定により、６チャンネルでアナログ放送が行われていることがわかり、チャンネルマップの６チャンネルの欄に「Ａ」が記録される。アナログサーチは次の７チャンネルの判定に移る。デジタルサーチの５チャンネルの判定が終了し、デジタル放送であることがわかる。
【００７２】
チャンネルマップの５チャンネルの欄に「Ｄ」が記録され、同時に放送局名などのチャネル情報が記録される。次のチャンネルのデジタル判定に移る際に、マップの次欄を確認する。６チャンネルにはすでに「Ａ」が記録されているので、判定は試みずに次の７チャンネルの判定を開始する。
【００７３】
時刻７でアナログサーチの判定により７チャンネルではアナログ放送は行われていないことがわかる。しかしデジタル放送の判定は未だ出ていないのでマップは空欄のままとする。アナログサーチは次の８チャンネルの判定に移る。デジタルサーチは７チャンネルの判定を継続中である。
【００７４】
時刻８でアナログサーチの判定により、８チャンネルでアナログ放送が行われていることがわかり、チャンネルマップの８チャンネルの欄に「Ａ」が記録される。アナログサーチは次の９チャンネルの判定に移る。デジタルサーチの７チャンネルの判定が終了し、デジタル放送であることがわかる。チャンネルマップの７チャンネルの欄に「Ｄ」が記録されると共に、放送局名などのチャネル情報も記録される。次のチャンネルのデジタル判定に移る際に、マップの次欄を確認する。８チャンネルにはすでに「Ａ」が記録されているので、判定は試みずに次の空欄の９チャンネルの判定を開始する。
【００７５】
時刻９でアナログサーチの判定により９チャンネルではアナログ放送は行われていないことがわかる。しかしデジタル放送の判定は未だ出ていないのでマップは空欄のままとする。アナログサーチは次の１０チャンネルの判定に移る。デジタルサーチは９チャンネルの判定を継続中である。
【００７６】
時刻１０でアナログサーチの判定により、１０チャンネルでアナログ放送が行われていることがわかり、チャンネルマップの１０チャンネルの欄に「Ａ」が記録される。アナログサーチは次の１１チャンネルの判定に移る。デジタルサーチの９チャンネルの判定が終了し、デジタル放送でないことがわかる。チャンネルマップの９チャンネルの欄は空欄であるので無局の意味で「−」を記録する。次のチャンネルのデジタル判定に移る際に、マップの次欄を確認する。１０チャンネルにはすでに「Ａ」が記録されているので、判定は試みずに次の空欄の１１チャンネルの判定を開始する。
【００７７】
時刻１１でアナログサーチの判定により１１チャンネルではアナログ放送は行われていないことがわかる。しかしデジタル放送の判定は未だ出ていないのでマップは空欄のままとする。アナログサーチは次の１２チャンネルの判定に移る。デジタルサーチは１１チャンネルの判定を継続中である。
【００７８】
時刻１２でアナログサーチの判定により１２チャンネルではアナログ放送は行われていないことがわかる。しかしデジタル放送の判定は未だ出ていないのでマップは空欄のままとする。アナログサーチでの判定動作は終了する。デジタルサーチの１１チャンネルの判定が終了し、デジタル放送でないことがわかる。チャンネルマップの１１チャンネルの欄は空欄であるので無局の意味で「−」を記録する。次のチャンネルのデジタル判定に移る際に、マップの次欄を確認する。１２チャンネルは空欄であるので１２チャンネルの判定を開始する。
【００７９】
時刻１３ではアナログサーチの判定動作は終了している。デジタルサーチは１２チャンネルの判定を継続中である。
【００８０】
時刻１４ではアナログサーチの判定動作は終了している。デジタルサーチの１２チャンネルの判定が終了し、デジタル放送であることがわかる。チャネルマップの１２チャンネルの欄に「Ｄ」が記録されると共に放送局名などのチャネル情報も記録される。デジタルサーチは判定動作を終了する。
【００８１】
この段階で最終的なチャンネルマップが完成する。マップの完成までに要する時間は１４単位時間で、従来の方法による２４単位時間よりも短縮されている。ここでは放送の有無の判定にかかる時間が、仮にアナログ：１、デジタル：２、として説明したが、デジタル放送の判定がアナログよりもさらに長くかかる場合には、全体の短縮効果はさらに大きなものとなる。
【００８２】
デジタル放送の新規追加などのため、デジタル放送のみ再サーチを行う場合は、すでに完成しているチャンネルマップを参照し、アナログ放送が行われている以外のチャンネルのみのサーチを試みることで、同様にサーチ時間を短縮することができる。
【００８３】
また、何らかの放送を視聴中の場合、もう一方のチューナを使用して、チャネルサーチを行い、チャネルマップを更新することも可能である。具体的には、例えば、デジタル放送を受信中に、アナログサーチを行い、アナログチャネルに関するデータを更新する。図１（Ａ）のＳ１０７にて判断しているように、アナログ放送が無いと判断されたチャネルにおいて、既にチャネルマップ上にデジタル放送と記憶されている場合は、そのチャネルのデータを更新しない。
【００８４】
一方、アナログ放送を視聴中において、デジタルサーチを行い、デジタルチャネルに関するデータを更新することもできる。図１（Ｂ）のｓ２０７やｓ２０９にて判断しているように、アナログサーチの結果を優先し、チャネルマップ上でアナログ放送と記憶されているチャネルについては、デジタルサーチを行なわず、データの更新も行なわない。
【００８５】
上記ように、デジタルサーチは、アナログサーチに比べて多くの時間を必要とするため、デジタル・アナログ両方のサーチを同時に行なった場合も、別々に行なった場合も、アナログサーチの結果を優先しデジタルサーチの処理に反映させて、アナログ放送であるとわかっているチャネルについてはデジタルサーチを省略することで、全体のチャネルサーチに要する時間を短縮することができる。
【００８６】
上記実施例においては、チャネルサーチを最低周波のチャネルから昇順に行なう例を示したが、これに限定されるものではなく、例えば最高周波から降順にサーチを行なっても構わない。
【００８７】
また、チャネルサーチの順序は、上記の例に限定されるものではない。従って、最上位、最下位によらず、途中のチャネルから始めても良い。例えば、チャネル６、７、８、９、１０、１１、１２、１、２、３、４，５などであり、さらには、チャネルの番号順序でなくても構わない。すなわち、アナログとデジタルのチャネルサーチの順序が同じであれば、その順序はいかなる形態であっても構わない。
【００８８】
【発明の効果】
本発明は、テレビ放送信号を受信する放送受信部と、各放送チャネルと放送種別を関連付けたチャネルマップデータを記憶するメモリを有し、該放送受信部が、デジタル受信部とアナログ受信部を含んでいて、該チャネルマップデータは、該放送受信部を用いて各チャネルをサーチすることで作成及び／又は更新することができ、アナログ受信部は、全ての放送チャネルをサーチして、各チャネル毎にアナログ放送の有無を判断するためのアナログ判断部を有し、該アナログチャネルサーチの結果としてアナログ放送が存在すると判断されたチャネルに関して、上記チャネルマップデータ上にアナログ放送に関する情報を記憶し、デジタル受信部は、上記のアナログチャンネルサーチにおいてアナログ放送が存在すると判断されたチャネルを除く全ての放送チャネルをサーチして、各チャネル毎にデジタル放送の有無を判断するためのデジタル判断部を有し、該デジタルチャネルサーチの結果としてデジタル放送が存在すると判断されたチャネルに関して、上記チャネルマップデータ上にデジタル放送に関する情報を記憶する事を特徴とする放送受信装置である。
【００８９】
上記の本発明によれば、デジタル放送とアナログ放送が混在する場合、アナログチャネルのサーチに要する時間の方がデジタルチャネルのサーチに要する時間よりも短いため、アナログチャネルのサーチの方が先に終了する。そのため、アナログチャネルのサーチ結果を参照して、アナログ放送が存在するチャネルについてはデジタルチャネルのサーチを行なわないことによってチャンネルサーチ時間を短縮し、使用者に使い勝手のよい受信機を提供することが可能となる。
【図面の簡単な説明】
【図１】（Ａ）本発明のアナログチャネルサーチのフローチャート
（Ｂ）本発明のデジタルチャネルサーチのフローチャート
【図２】デジタル・アナログ混在の放送受信装置のブロック図
【図３】（１）（Ａ）従来のチャネルサーチのタイミング図
（Ｂ）本発明のチャネルサーチのタイミング図
（２）　本発明のチャネルマップデータの作成イメージ図
【符号の説明】
１００　　　　　　アンテナ
１０１　　　　　　デジタルチューナ
１０２　　　　　　デジタル復調器
１０３　　　　　　ＴＳデコーダ
１０４　　　　　　ビデオ・オーディオデコーダ
２０１　　　　　　アナログチューナ
２０２　　　　　　アナログ復調器
２０３　　　　　　検出器
３００　　　　　　制御用マイコン
３０１　　　　　　リモコン受信部
３０２　　　　　　本体キー
３０３　　　　　　メモリ
４０１　　　　　　リモコン
【図１】
2004088162.tif 000003
【図２】
2004088162.tif 000004
【図３】
2004088162.tif 000005